(57)【特許請求の範囲】
【請求項１】
ＦＭ放送電波を利用してエリア情報として配信される広範囲の道路交通情報を受信する道路交通情報受信部と、
上記道路交通情報受信部により受信された１以上の道路交通情報のうち、現在位置に対して所定の条件を満たす位置の道路交通情報を抽出する道路交通情報抽出部と、
上記現在位置および上記道路交通情報抽出部により抽出された道路交通情報に対応する位置が含まれる最大の縮尺を設定した地図画像上に、上記道路交通情報抽出部により抽出された道路交通情報に対応する地図上の領域を表すエリア図形を配置して成るエリア提示画像を生成するエリア提示画像描画部と、
上記エリア提示画像描画部により生成された上記エリア提示画像を表示させる表示制御部とを備え、
上記道路交通情報抽出部は、上記現在位置、車速情報、および上記道路交通情報に含まれる道路規制終了時刻に基づいて、上記道路規制終了時刻までに到達できるという条件を満たす位置の道路交通情報を抽出することを特徴とするナビゲーション装置。
【請求項２】
上記エリア提示画像描画部は、上記道路交通情報抽出部により抽出された道路交通情報により示されるエリアの中で、上記道路規制終了時刻までに到達できる位置までの領域を表すエリア図形を配置して成るエリア提示画像を生成することを特徴とする請求項１に記載のナビゲーション装置。
【請求項３】
ＦＭ放送電波を利用してエリア情報として配信される広範囲の道路交通情報を受信する道路交通情報受信部と、
上記道路交通情報受信部により受信された１以上の道路交通情報のうち、現在位置に対して所定の条件を満たす位置の道路交通情報を抽出する道路交通情報抽出部と、
上記現在位置および上記道路交通情報抽出部により抽出された道路交通情報に対応する位置が含まれる最大の縮尺を設定した地図画像上に、上記道路交通情報抽出部により抽出された道路交通情報に対応する地図上の領域を表すエリア図形を配置して成るエリア提示画像を生成するエリア提示画像描画部と、
上記エリア提示画像描画部により生成された上記エリア提示画像を表示させる表示制御部とを備え、
上記道路交通情報抽出部は、上記現在位置に対して誘導経路の目的地側にあり、かつ、上記誘導経路の目的地よりも上記現在位置側にあるという条件を満たす位置の道路交通情報を抽出することを特徴とするナビゲーション装置。
【請求項４】
ＦＭ放送電波を利用してエリア情報として配信される広範囲の道路交通情報を受信する道路交通情報受信部と、
上記道路交通情報受信部により受信された１以上の道路交通情報のうち、現在位置に対して所定の条件を満たす位置の道路交通情報を抽出する道路交通情報抽出部と、
上記現在位置および上記道路交通情報抽出部により抽出された道路交通情報に対応する位置が含まれる最大の縮尺を設定した地図画像上に、上記道路交通情報抽出部により抽出された道路交通情報に対応する地図上の領域を表すエリア図形を配置して成るエリア提示画像を生成するエリア提示画像描画部と、
上記エリア提示画像描画部により生成された上記エリア提示画像を表示させる表示制御部とを備え、
上記道路交通情報抽出部は、上記現在位置に対して進行方向側にあるという条件を満たす位置の道路交通情報を抽出することを特徴とするナビゲーション装置。
【請求項５】
ナビゲーション装置の道路交通情報受信部が、ＦＭ放送電波を利用してエリア情報として配信される広範囲の道路交通情報を受信する第１のステップと、
上記ナビゲーション装置の道路交通情報抽出部が、上記道路交通情報受信部により受信された１以上の道路交通情報のうち、現在位置に対して所定の条件を満たす位置の道路交通情報を抽出する第２のステップと、
上記ナビゲーション装置のエリア提示画像描画部が、上記現在位置および上記道路交通情報抽出部により抽出された道路交通情報に対応する位置が含まれる最大の縮尺を設定した地図画像上に、上記道路交通情報抽出部により抽出された道路交通情報に対応する地図上の領域を表すエリア図形を配置して成るエリア提示画像を生成する第３のステップと、
上記ナビゲーション装置の表示制御部が、上記エリア提示画像描画部により生成されたエリア提示画像を表示させる第４のステップとを有し、
前記第２のステップにおいて、上記道路交通情報抽出部は、上記現在位置、車速情報、および上記道路交通情報に含まれる道路規制終了時刻に基づいて、上記道路規制終了時刻までに到達できるという条件を満たす位置の道路交通情報を抽出する
ことを特徴とする道路交通情報の対象エリア表示制御方法。
【請求項６】
ナビゲーション装置の道路交通情報受信部が、ＦＭ放送電波を利用してエリア情報として配信される広範囲の道路交通情報を受信する第１のステップと、
上記ナビゲーション装置の道路交通情報抽出部が、上記道路交通情報受信部により受信された１以上の道路交通情報のうち、現在位置に対して所定の条件を満たす位置の道路交通情報を抽出する第２のステップと、
上記ナビゲーション装置のエリア提示画像描画部が、上記現在位置および上記道路交通情報抽出部により抽出された道路交通情報に対応する位置が含まれる最大の縮尺を設定した地図画像上に、上記道路交通情報抽出部により抽出された道路交通情報に対応する地図上の領域を表すエリア図形を配置して成るエリア提示画像を生成する第３のステップと、
上記ナビゲーション装置の表示制御部が、上記エリア提示画像描画部により生成されたエリア提示画像を表示させる第４のステップとを有し、
前記第２のステップにおいて、上記道路交通情報抽出部は、上記現在位置に対して誘導経路の目的地側にあり、かつ、上記誘導経路の目的地よりも上記現在位置側にあるという条件を満たす位置の道路交通情報を抽出する
ことを特徴とする道路交通情報の対象エリア表示制御方法。
【請求項７】
ナビゲーション装置の道路交通情報受信部が、ＦＭ放送電波を利用してエリア情報として配信される広範囲の道路交通情報を受信する第１のステップと、
上記ナビゲーション装置の道路交通情報抽出部が、上記道路交通情報受信部により受信された１以上の道路交通情報のうち、現在位置に対して所定の条件を満たす位置の道路交通情報を抽出する第２のステップと、
上記ナビゲーション装置のエリア提示画像描画部が、上記現在位置および上記道路交通情報抽出部により抽出された道路交通情報に対応する位置が含まれる最大の縮尺を設定した地図画像上に、上記道路交通情報抽出部により抽出された道路交通情報に対応する地図上の領域を表すエリア図形を配置して成るエリア提示画像を生成する第３のステップと、
上記ナビゲーション装置の表示制御部が、上記エリア提示画像描画部により生成されたエリア提示画像を表示させる第４のステップとを有し、
前記第２のステップにおいて、上記道路交通情報抽出部は、上記現在位置に対して進行方向側にあるという条件を満たす位置の道路交通情報を抽出する
ことを特徴とする道路交通情報の対象エリア表示制御方法。
【発明の詳細な説明】
【技術分野】
【０００１】
本発明は、ナビゲーション装置および道路交通情報の対象エリア表示制御方法に関し、特に、ＦＭ放送電波を利用して受信される広範囲の道路交通情報を表示する機能を有するナビゲーション装置に用いて好適なものである。
【背景技術】
【０００２】
一般に、ナビゲーション装置は、道路交通情報センタからＶＩＣＳ（登録商標）を使用して送られてくる道路交通情報を受信して、刻々と変化する道路状況をナビゲーション画面上に表示する機能を有している。道路交通情報は、路上に設置されたビーコンや、ＦＭ放送電波を利用したＦＭ多重放送から取得することが可能である。
【０００３】
道路交通情報には、レベル１、レベル２、レベル３の３種類の情報がある。レベル１は、渋滞情報や所定地点までの所要時間などを文字によって知らせる文字情報である。レベル２は、渋滞情報や所定地点までの所要時間などを簡易図形によって知らせる簡易図形情報（ビットマップ等による画像データ）である。レベル３は、渋滞情報を地図上の色付き矢印によって知らせる地図情報である。レベル３の地図情報（色付き矢印）は地図画面上に常に表示されているのに対し、レベル１の文字情報およびレベル２の簡易図形情報は、これらの情報をナビゲーション装置が受信したときに割り込み表示される。
【０００４】
なお、路上に設置されたビーコンからの受信に応じて割り込み表示されるレベル２の簡易図形情報は、当該ビーコンの設置位置を通過後に向かうことになる方面の交通状態を表したものである。したがって、不慣れな地域を走行している場合などには、道路交通情報を提示されても、当該道路交通情報が交通状態を表している位置がどこであるのかをユーザが直ちに把握できず、結果、この道路交通情報を有効に利用できないことがある。
【０００５】
従来、このような問題を解消するために、ビーコンから受信したレベル２の道路交通情報について、当該道路交通情報が交通状態を表す位置をユーザが簡易に把握できるようにした技術が提案されている（例えば、特許文献１参照）。この特許文献１に記載のナビゲーション装置では、道路交通情報を受信した場合、図８のように表示装置に第１ウインドウ７１０と第２ウインドウ７２０とを設定し、交通情報位置提示画像を第１ウインドウ７１０に表示するとともに、受信した道路交通情報を第２ウインドウ７２０に表示する。
【０００６】
ここで、第１ウインドウ７１０に表示する交通情報位置提示画像は、現在位置と交通情報基準位置とが含まれるように地図表示範囲と表示地図縮尺を設定した地図画像７１１上に、現在位置を表す現在位置マーク７１２と、交通情報基準位置を表す交通情報基準位置マーク７１３とを配置したものとする。交通情報基準位置は、受信した道路交通情報に含まれる方面方向案内図上の、現在位置に対して最も手前の交差点の位置とする。
【先行技術文献】
【特許文献】
【０００７】
【特許文献１】特開２００８−２４９４７５号公報
【発明の概要】
【発明が解決しようとする課題】
【０００８】
図８のように、現在位置と、路上のビーコンから受信したレベル２の道路交通情報により交通状態が表された１つの交差点とが含まれるように地図の表示縮尺を変えたとしても、それほど極端な縮尺変更は発生しない。交通状態の表示対象とされる交差点は、現在位置からそれほど遠く離れたところにあるものではないからである。
【０００９】
しかしながら、次世代ＶＩＣＳで提供される道路交通情報は、車両の進行方向にある１つの交差点の情報に限らず、広い区間の道路交通情報を表すエリア情報として配信される。しかも、次世代ＶＩＣＳの道路交通情報は、ＦＭ放送電波を利用して配信されるため、受信される情報の中には、ＦＭ放送圏内にある複数のエリアの道路交通情報が含まれている可能性がある。この場合に、当該複数のエリアと現在位置とが含まれるように地図の表示縮尺を変えると、縮尺が極端に広域の尺度となるため、地図の視認性が悪くなってしまう。
【００１０】
本発明は、このような問題を解決するために成されたものであり、地図の視認性を極力低下させることなく、ＦＭ放送電波を利用して配信される広範囲の道路交通情報が交通状態を表している位置を、ユーザが簡易に把握できるようにすることを目的とする。
【課題を解決するための手段】
【００１１】
上記した課題を解決するために、本発明では、ＦＭ放送電波を利用して受信された広範囲に含まれる１以上の道路交通情報の中から、現在位置に対して所定の条件を満たす位置の道路交通情報を抽出する。そして、当該抽出した道路交通情報に対応する位置と現在位置とが含まれる最大の縮尺を設定した地図画像上に、当該抽出した道路交通情報に対応する地図上の領域を表すエリア図形を配置して成るエリア提示画像を生成するようにしている。道路交通情報の抽出に際し、現在位置、車速情報、および道路交通情報に含まれる道路規制終了時刻に基づいて、道路規制終了時刻までに到達できるという条件を満たす位置の道路交通情報を抽出する。また別の態様では、道路交通情報の抽出に際し、現在位置に対して誘導経路の目的地側にあり、かつ、誘導経路の目的地よりも現在位置側にあるという条件を満たす位置の道路交通情報を抽出する。また別の態様では、道路交通情報の抽出に際し、現在位置に対して進行方向側にあるという条件を満たす位置の道路交通情報を抽出する。
【発明の効果】
【００１２】
上記のように構成した本発明によれば、ＦＭ放送電波を利用して受信された広範囲に含まれる１以上の道路交通情報の全てに対応する位置が含まれるような極端に小さい縮尺ではなく、所定の条件に基づいて抽出された道路交通情報のみに対応する位置が含まれるような縮尺で地図画像が生成されるので、縮尺が極端に広域の尺度となることを抑制することができる。これにより、地図の視認性を極力低下させることなく、広範囲の道路交通情報が交通状態を表している位置をユーザが簡易に把握できるようにすることができる。
【図面の簡単な説明】
【００１３】
【図１】本実施形態によるナビゲーション装置の機能構成例を示すブロック図である。
【図２】本実施形態において誘導経路が設定されていない場合に実行される道路交通情報抽出部の動作例を示す図である。
【図３】本実施形態において誘導経路が設定されている場合に実行される道路交通情報抽出部の動作例を示す図である。
【図４】本実施形態におるエリア提示画像の表示例を示す図である。
【図５】本実施形態によるナビゲーション装置の動作例（道路交通情報の対象エリア表示制御方法の処理手順）を示すフローチャートである。
【図６】本実施形態におるエリア提示画像の他の表示例を示す図である。
【図７】本実施形態におるエリア提示画像の他の表示例を示す図である。
【図８】従来の道路交通情報（レベル２の簡易図形情報）の表示例を示す図である。
【発明を実施するための形態】
【００１４】
以下、本発明の一実施形態を図面に基づいて説明する。図１は、本実施形態によるナビゲーション装置の機能構成例を示すブロック図である。図１に示すように、本実施形態のナビゲーション装置１００は、地図データ記憶部１、現在位置測定部２、地図読出部３、地図バッファメモリ４、地図描画部５、経路探索部６、誘導経路メモリ７、誘導経路描画部８、表示制御部９、ディスプレイ１０、道路交通情報受信部１１、道路交通情報抽出部１２およびエリア提示画像描画部１３を備えている。
【００１５】
地図データ記憶部１は、地図表示や経路探索などに必要な各種の地図データを記憶している。この地図データ記憶部１は、ハードディスク、ＤＶＤ、ＣＤ−ＲＯＭ、半導体メモリなどの記録媒体により構成される。現在位置測定部２は、車両の現在位置を測定する。この現在位置測定部２は、自立航法センサおよびＧＰＳ受信機を用いて構成される。
【００１６】
地図読出部３は、地図データ記憶部１からの地図データの読み出しを制御する。具体的には、地図読出部３は、現在位置測定部２から車両の現在位置情報を入力し、その現在位置を含む所定範囲の地図データを地図データ記憶部１から読み出して地図バッファメモリ４に格納する。また、誘導経路の探索を行う際には、地図読出部３は、出発地（現在位置）と目的地とを含む所定範囲の地図データを地図データ記憶部１から読み出して経路探索部６に供給する。
【００１７】
また、道路交通情報受信部１１によって受信された次世代ＶＩＣＳの道路交通情報に基づいてエリア提示画像を表示する際には、地図読出部３は、エリア提示画像描画部１３により特定された範囲の地図データを地図データ記憶部１から読み出してエリア提示画像描画部１３に供給する。なお、これに関する動作の詳細は後述する。
【００１８】
地図描画部５は、地図バッファメモリ４に格納された地図データに基づいて、車両位置周辺の地図の描画データを生成する。ここで、地図描画部５は、ユーザにより指定された縮尺で地図画像を描画する。経路探索部６は、地図読出部３により地図データ記憶部１から読み出された地図データを用いて、現在位置から目的地までを結ぶ最もコストが小さな誘導経路を探索し、当該探索した誘導経路のデータを誘導経路メモリ７に格納する。
【００１９】
誘導経路描画部８は、誘導経路メモリ７に格納された誘導経路のデータを用いて、誘導経路の描画データを生成する。すなわち、誘導経路描画部８は、誘導経路メモリ７に格納された誘導経路データの中から、地図描画部５により描画された地図のエリアに含まれるものを選択的に読み出し、地図画像に重ねて他の道路と異なる所定色で太く強調した誘導経路を描画する。
【００２０】
表示制御部９は、地図描画部５により描画された地図の画像、誘導経路描画部８により描画された誘導経路の画像、エリア提示画像描画部１３により描画されたエリア提示画像をディスプレイ１０に表示するよう制御する。誘導経路が設定されていない場合、表示制御部９は、地図描画部５により描画された地図の画像をディスプレイ１０に表示させる。誘導経路が設定されている場合、表示制御部９は、地図描画部５により描画された地図の画像に対し、誘導経路描画部８により描画された誘導経路の画像を重ねてディスプレイ１０に表示させる。
【００２１】
さらに、表示制御部９は、エリア提示画像描画部１３によりエリア提示画像が生成された場合は、当該エリア提示画像をディスプレイ１０に一定時間だけ割り込み表示させる。なお、エリア提示画像の割り込み表示は、地図描画部５および誘導経路描画部８により生成された画像に代えて画面全体に対して行うようにしてもよい。または、ディスプレイ１０を２画面に分けて、地図描画部５および誘導経路描画部８により生成された画像と、エリア提示画像描画部１３により生成されたエリア提示画像とを各画面にそれぞれ表示させるようにしてもよい。
【００２２】
道路交通情報受信部１１は、ＦＭ放送電波を利用してエリア情報として配信される広範囲の道路交通情報（次世代ＶＩＣＳの道路交通情報）を受信する。道路交通情報受信部１１は、道路交通情報を所定時間（例えば、５分）おきに繰り返し受信する。道路交通情報受信部１１が受信する道路交通情報は、現在位置において受信可能なＦＭ放送局がカバーする放送圏内にある１以上のエリアに関するものである。
【００２３】
道路交通情報は、規制対象の道路区間、規制時刻、規制の対象エリアを示す各情報を含んでいる。ここで、規制対象の道路区間は、道路工事や各種イベントにより交通が規制される道路区間を示す情報である。規制時刻は、その規制の開始時刻および終了時刻を示す情報である。対象エリアは、例えば矩形の領域で特定されるエリアの位置を示す情報であり、この領域内に規制対象の道路区間が含まれている。
【００２４】
道路交通情報抽出部１２は、道路交通情報受信部１１により受信された１以上の道路交通情報のうち、現在位置に対して所定の条件を満たす位置の道路交通情報を抽出する。道路交通情報抽出部１２は、道路交通情報受信部１１が５分おきに受信する道路交通情報において、前回受信したときの内容に変化があったときにのみに動作する。すなわち、道路交通情報抽出部１２は、道路交通情報受信部１１が今回受信した道路交通情報の内容と、道路交通情報受信部１１が５分前に受信した道路交通情報の内容とを比較し、内容が異なっている場合にのみ、道路交通情報の抽出処理を実行する。
【００２５】
道路交通情報抽出部１２が道路交通情報を抽出する際に用いる所定の条件は、誘導経路が設定されていない場合と、誘導経路が設定されている場合とで異なる。誘導経路が設定されていない場合、道路交通情報抽出部１２は、現在位置測定部２により測定される現在位置と、例えばＣＡＮ（Controller Area Network）などの車載ネットワークを介して取得される車速情報と、道路交通情報に含まれる道路規制終了時刻とに基づいて、道路規制終了時刻までに到達できるという条件を満たす位置の道路交通情報を抽出する。これは、道路規制終了時刻までに到達できない道路交通情報は殆ど不要と考えられるため、そのような道路交通情報を除外する趣旨である。
【００２６】
一方、誘導経路が設定されている場合、道路交通情報抽出部１２は、現在位置に対して誘導経路の目的地側にあり、かつ、誘導経路の目的地よりも現在位置側にあるという条件を満たす位置の道路交通情報を抽出する。これは、誘導経路の設定中は、誘導経路に沿った進行方向以外の道路交通情報は殆ど不要と考えられるため、進行方向以外のエリアの道路交通情報を除外する趣旨である。
【００２７】
図２は、誘導経路が設定されていない場合に実行される道路交通情報抽出部１２の動作例を示す図である。図２の例は、道路交通情報受信部１１によって３つのエリアＡ１〜Ａ３に関する道路交通情報が受信された状況を示している。例えば、道路交通情報抽出部１２は、現在位置Ｐから各エリアＡ１〜Ａ３に向かい、現在位置Ｐと各エリアＡ１〜Ａ３との間を最短距離で結ぶ直線を現在の車速で等速走行したと仮定して、現在位置Ｐから各エリアＡ１〜Ａ３まで走行するのにかかる時間Ｔ１〜Ｔ３をそれぞれ算出する。
【００２８】
道路交通情報には各エリアＡ１〜Ａ３の位置を示す情報が含まれているので、現在位置Ｐから各エリアＡ１〜Ａ３までの最短距離を求めることが可能であり、それを車速で除算することにより、各エリアＡ１〜Ａ３までの走行に要する時間Ｔ１〜Ｔ３を算出することが可能である。そして、その走行時間Ｔ１〜Ｔ３を現在時刻に加算することにより、各エリアＡ１〜Ａ３への到達時刻を得ることができる。道路交通情報抽出部１２は、このように算出した各エリアＡ１〜Ａ３への到達時刻と、各エリアＡ１〜Ａ３の道路規制終了時刻とを比較して、前者の方が早いエリアについて、道路規制終了時刻までに到達できると判断する。
【００２９】
なお、ここでは車載ネットワークから得られる実際の車速を用いて計算を行う例について説明したが、これに限定されない。例えば、現在走行中の道路の法定速度（地図データから得られる）を用いて計算を行うようにしてもよい。また、現在の車速または法定速度の１／ｎ（ｎは任意に定めた定数）の速度を用いて計算を行うようにしてもよい。現在位置Ｐから各エリアＡ１〜Ａ３に到るまでに走行する道路は、実際には直線状ではないため、直線距離よりも実際の走行距離は長くなる。また、走行途中に信号待ちで一時的に停車することも考えられる。そこで、このような実際の走行状態を考慮して、現在の車速または法定速度の１／ｎの速度を用いて計算をするのが好ましい。
【００３０】
また、図２では、現在位置Ｐから各エリアＡ１〜Ａ３の最も近い位置までの走行時間を算出する例について説明したが、本発明はこれに限定されない。例えば、現在位置Ｐから各エリアＡ１〜Ａ３の最も遠い位置までの走行時間や、各エリアＡ１〜Ａ３の中心位置までの走行時間などを算出するようにしてもよい。
【００３１】
図３は、誘導経路が設定されている場合に実行される道路交通情報抽出部１２の動作例を示す図である。図３の例も、道路交通情報受信部１１によって３つのエリアＡ１〜Ａ３に関する道路交通情報が受信された状況を示している。道路交通情報抽出部１２は、現在位置Ｐに対して誘導経路の目的地Ｇ側で、かつ、誘導経路の目的地Ｇよりも現在位置Ｐ側の領域内（斜線で示す）にある道路交通情報を抽出する。図３の例では、エリアＡ３の道路交通情報が抽出される。
【００３２】
エリア提示画像描画部１３は、現在位置測定部２により測定された現在位置と、道路交通情報抽出部１２により抽出された道路交通情報に対応する位置（対象エリアの全体）とが含まれる最大の縮尺を設定した地図画像上に、道路交通情報抽出部１２により抽出された道路交通情報の位置を表すエリア図形を配置して成るエリア提示画像の描画データを生成する。
【００３３】
例えば、図３のように、エリアＡ３の道路交通情報のみが道路交通情報抽出部１２により抽出された場合、エリア提示画像描画部１３は、現在位置ＰとエリアＡ３とが含まれる最大の縮尺を設定した地図画像を生成し、更にその地図画像の上に、エリアＡ３の位置を表す矩形のエリア図形を配置することにより、エリア提示画像の描画データを生成する。ここで、最大の縮尺とは、ナビゲーション装置１００が表示可能な複数段階の縮尺のうち、現在位置ＰとエリアＡ３との両方が一画面内に含まれる縮尺で、かつ、その中でも最大の縮尺のことをいう。
【００３４】
このようにエリア提示画像描画部１３により生成されたエリア提示画像は、表示制御部９によりディスプレイ１０に表示される。図４は、エリア提示画像の表示例を示す図である。図４に示すように、エリア提示画像は、現在位置ＰとエリアＡ３とが一画面に入る最大の縮尺で地図画像が描画されたものであり、その地図画像上に、現在位置Ｐを表す車両位置マーク４１と、エリアＡ３の位置を表す矩形のエリア図形４２とが重ねて描画されている。なお、エリア図形４２をユーザが押下した場合に、エリアＡ３に対応する道路交通情報の内容をポップアップ表示させるようにすることが可能である。
【００３５】
図５は、上記のように構成した本実施形態によるナビゲーション装置１００の動作例（道路交通情報の対象エリア表示制御方法の処理手順）を示すフローチャートである。なお、この図５に示すフローチャートは、ナビゲーション装置１００の電源をオンとした後、電源がオフとされるまで実行されている。
【００３６】
まず、道路交通情報受信部１１は、ＦＭ放送電波を利用して次世代ＶＩＣＳの道路交通情報を受信する（ステップＳ１）。次に、道路交通情報抽出部１２は、道路交通情報受信部１１が今回受信した道路交通情報の内容が、道路交通情報受信部１１が５分前に受信した道路交通情報の内容と異なっているか否かを判定する（ステップＳ２）。
【００３７】
道路交通情報の内容が前回と異なっていない場合、道路交通情報受信部１１は、前回の受信から５分が経過したか否かを判定する（ステップＳ３）。前回の受信から５分が経過していない場合は、ステップＳ３の判定を繰り返す。一方、前回の受信から５分が経過した場合、処理はステップＳ１に戻り、道路交通情報受信部１１は道路交通情報を再度受信する。
【００３８】
今回受信した道路交通情報の内容が５分前に受信した道路交通情報の内容と異なっている場合、道路交通情報抽出部１２は、誘導経路が設定されているか否かを判定する（ステップＳ４）。誘導経路が設定されている場合、道路交通情報抽出部１２は、道路交通情報受信部１１により受信された１以上の道路交通情報の中から、誘導経路が設定されている場合の条件を満たす位置の道路交通情報を抽出する（ステップＳ５）。
【００３９】
一方、誘導経路が設定されていない場合、道路交通情報抽出部１２は、道路交通情報受信部１１により受信された１以上の道路交通情報の中から、誘導経路が設定されていない場合の条件を満たす位置の道路交通情報を抽出する（ステップＳ６）。
【００４０】
ステップＳ５またはステップＳ６の何れかにおいて道路交通情報抽出部１２が道路交通情報の抽出を行った後、エリア提示画像描画部１３は、現在位置測定部２により測定された現在位置と、道路交通情報抽出部１２により抽出された道路交通情報に対応する位置とが含まれる最大の縮尺を設定した地図画像上に、道路交通情報抽出部１２により抽出された道路交通情報の位置を表すエリア図形を配置したエリア提示画像の描画データを生成する（ステップＳ７）。
【００４１】
そして、表示制御部９は、エリア提示画像描画部１３により生成されたエリア提示画像を、ディスプレイ１０に一定時間だけ割り込み表示させる（ステップＳ８）。その後、ナビゲーション装置１００は、電源をオフにする操作が行われたか否かを判定する（ステップＳ９）。電源をオフにする操作が行われていない場合、処理はステップＳ３に戻る。一方、電源をオフにする操作が行われた場合、図５に示すフローチャートの処理は終了する。
【００４２】
以上詳しく説明したように、本実施形態では、道路交通情報受信部１１により受信された広範囲に含まれる１以上の道路交通情報の中から、現在位置に対して所定の条件を満たす位置の道路交通情報を道路交通情報抽出部１２により抽出する。そして、当該抽出した道路交通情報に対応する位置と現在位置とが含まれる最大の縮尺を設定した地図画像上に、当該抽出した道路交通情報の位置を表すエリア図形を配置したエリア提示画像をエリア提示画像描画部１３により生成し、これをディスプレイ１０に表示させるようにしている。
【００４３】
このように構成した本実施形態によれば、広範囲に含まれる１以上の道路交通情報の全てに対応する位置（例えば、エリアＡ１〜Ａ３）が含まれるような極端に小さい縮尺ではなく、所定の条件に基づいて抽出された道路交通情報に対応する位置のみ（例えば、エリアＡ３）が含まれるような縮尺で地図画像が生成されるので、縮尺が極端に広域の尺度となることを抑制することができる。これにより、地図の視認性を極力低下させることなく、広範囲の道路交通情報が交通状態を表している位置をユーザが簡易に把握できるようにすることができる。しかも、本実施形態では、不要の可能性が高い道路交通情報のエリアを除外してエリア提示画像を生成しているので、ユーザにとって有用な道路交通情報を、その対象エリアを把握しやすい態様で提供することができる。
【００４４】
なお、上記実施形態では、誘導経路が設定されていない場合に、道路交通情報抽出部１２が、現在位置Ｐから各エリアＡ１〜Ａ３の最も近い位置（または、最も遠い位置、中心位置など）までの走行時間を算出して、各エリアＡ１〜Ａ３の道路規制終了時刻までに到達できるか否かを判定し、到達可能なエリアについてはその全体を表すエリア図形をエリア提示画像にて表示する例について説明したが、本発明はこれに限定されない。
【００４５】
例えば、現在位置Ｐから最も近い位置まで到達可能なエリアについては、エリア内のどの位置まで到達できるかを判定し、道路規制終了時刻までに到達できる位置までのエリア図形を配置したエリア提示画像を描画するようにしてもよい。例えば、道路交通情報受信部１１により道路交通情報が受信された３つのエリアＡ１〜Ａ３のうち、道路規制終了時刻までに到達可能なエリアとして、エリアＡ３のみが道路交通情報抽出部１２により抽出されたとする。
【００４６】
この場合、道路交通情報抽出部１２は、エリアＡ３の道路規制終了時刻が到来するまでに、車両がエリアＡ３内のどの位置まで到達できるかを更に判定する。もし、現在位置ＰからエリアＡ３の最も遠い位置に、当該エリアＡ３の道路規制終了時刻よりも早く到達できると道路交通情報抽出部１２により判定された場合、エリア提示画像描画部１３は、エリアＡ３の全体をエリア図形としてエリア提示画像にて描画する。その結果、表示制御部９により表示されるエリア提示画像は、図４と同様の状態となる。
【００４７】
一方、エリアＡ３の道路規制終了時刻までに、エリアＡ３内の途中の位置までしか到達できないと道路交通情報抽出部１２により判定された場合、エリア提示画像描画部１３は、当該エリアＡ３の中で、道路規制終了時刻までに到達できる位置までのエリア図形を配置したエリア提示画像を描画する。その結果、表示制御部９により表示されるエリア提示画像は、図６のようになる。図６に示すエリア提示画像では、エリアＡ３の位置を表すエリア図形４２’が、エリアＡ３の道路規制終了時刻までに到達できない領域がカットされた形状になっている。
【００４８】
なお、図６の例では、地図画像の縮尺が図４と同じになっている。ただし、道路規制終了時刻までに到達できない領域をカットした小さいエリア図形４２’とすることで、１段階大きい縮尺にしても現在位置Ｐとエリア図形４２’とが一画面に入る場合は、当該１段階大きい地図画像を用いてエリア提示画像が生成される。
【００４９】
また、上記実施形態では、道路交通情報が矩形のエリア情報として配信され、これを受信したナビゲーション装置１００において、矩形のエリア図形を配置したエリア提示画像を生成して表示する例について説明したが、本発明はこれに限定されない。例えば、道路交通情報が円形またはその他の形状のエリア情報として配信される場合には、これに合わせて、円形またはその他の形状のエリア図形を配置したエリア提示画像を生成して表示する。
【００５０】
また、上記実施形態では、誘導経路が設定されていない場合と、誘導経路が設定されている場合とで異なる条件に従って、道路交通情報抽出部１２が道路交通情報を抽出する例について説明したが、誘導経路の設定の有無によらず、同じ条件に従って道路交通情報を抽出するようにしてもよい。例えば、道路交通情報抽出部１２は、現在位置に対して進行方向側にあるという条件を満たす位置の道路交通情報を抽出するようにしてもよい。
【００５１】
また、道路交通情報抽出部１２は、誘導経路が設定されている場合に、図２を用いて説明した条件と、図３を用いて説明した条件とのＡＮＤ条件に従って、道路交通情報を抽出するようにしてもよい。あるいは、誘導経路の設定の有無によらず、現在位置に対して進行方向側にあるという条件と、図２を用いて説明した条件とのＡＮＤ条件に従って、道路交通情報を抽出するようにしてもよい。
【００５２】
また、上記実施形態では、道路交通情報抽出部１２により抽出されなかった道路交通情報に対応するエリアについては、エリア提示画像描画部１３により設定された縮尺の地図画像内に偶然入ることもあるが、当該未抽出エリアのエリア図形はエリア提示画像上に描画しない例について説明したが、描画するようにしてもよい。
【００５３】
また、上記実施形態では、道路交通情報抽出部１２により抽出されなかった道路交通情報に対応するエリアのうち、エリア提示画像描画部１３により設定された縮尺の地図画像内に偶然入ることもないエリアについては、当然ながらエリア図形はエリア提示画像上に描画されない。これに対して、図７に示すように、未抽出エリアが存在する方向を示すアイコン７１をエリア提示画像上に表示して、ユーザによりアイコン７１が押下された場合に、未抽出エリアの道路交通情報をポップアップ表示させるようにしてもよい。
【００５４】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００５５】
９  表示制御部
１１  道路交通情報受信部
１２  道路交通情報抽出部
１３  エリア提示画像描画部
【図１】
0006479581.tif 000002
【図２】
0006479581.tif 000003
【図３】
0006479581.tif 000004
【図４】
0006479581.tif 000005
【図５】
0006479581.tif 000006
【図６】
0006479581.tif 000007
【図７】
0006479581.tif 000008
【図８】
0006479581.tif 000009